(57)【要約】【課題】重量が大きく、長い充電ケーブルを保持する充電ケーブルの保持構造であって、充電準備時における充電ケーブルの引き回し作業や、充電終了後における充電ケーブルの片づけ作業の負荷を軽減することができる技術を提供すること。【解決手段】充電ケーブル３を巻き取って充電ケーブル支持具２に保持させる充電ケーブル保持構造であって、該充電ケーブル支持具２上の充電ケーブル巻き取り空間を仕切る仕切部材８を、充電ケーブル支持具２に対し、移動自在もしくは着脱自在に設けた。【選択図】図２
2014143805.tif 000002
【特許請求の範囲】
【請求項１】
充電ケーブルを巻き取って充電ケーブル支持具に保持させる充電ケーブル保持構造であって、
該充電ケーブル支持具上の充電ケーブル巻き取り空間を仕切る仕切部材を、充電ケーブル支持具に対し、移動自在もしくは着脱自在に設けたことを特徴とする充電ケーブル保持構造。
【請求項２】
前記仕切部材は、充電ケーブル支持具に保持された充電ケーブルを、外周側の使用部分と内周側の不使用部分とに区分することを特徴とする請求項１記載の充電ケーブル保持構造。
【請求項３】
前記仕切部材を、前記充電ケーブル支持具に対し、回動自在に設けたことを特徴とする請求項２記載の充電ケーブル保持構造。
【請求項４】
前記充電ケーブル支持具が棒状部材からなり、該棒状部材を、前記回動の中心軸としたことを特徴とする請求項３記載の充電ケーブル保持構造。
【請求項５】
前記充電ケーブル支持具が板状部材からなり、該板状部材は、対向配置された開口部を有し、該開口部間に残存させた板状部材を、前記回動の中心軸としたことを特徴とする請求項３記載の充電ケーブル保持構造。
【請求項６】
前記外周側で巻き取られる充電ケーブルを仮載置する仮載置部を、前記仕切部材の先端に設けたことを特徴とする請求項２記載の充電ケーブル保持構造。
【発明の詳細な説明】
【技術分野】
【０００１】
本発明は、充電ケーブルの保持構造に関するものである。
【背景技術】
【０００２】
電気自動車やプラグインハイブリッドカー等への充電は、これらの車両と車両用充電装置とを充電ケーブルで接続して行われる。
【０００３】
充電ケーブルは、先端に充電コネクタを備え、この充電コネクタを車両側に設けたプラグ部に挿入して、車両への充電を行う。
【０００４】
特許文献１には、不使用時の充電コネクタを車両用充電装置に設けた充電コネクタ保持部で保持するとともに、充電ケーブルを車両用充電装置に設けた充電ケーブル支持具に巻き取って保持する構造が開示されている。
【０００５】
充電ケーブルは、使用時に必要と想定される長さ（通常７ｍ程度）に、更に余裕を持たせて１５ｍ程度の長さからなるものが一般的である。
【０００６】
充電ケーブルを、充電ケーブル支持具に巻き取られた状態で、先方から順次巻出しながら必要長さとする作業は面倒なので、多めに巻き出して取り出すか、若しくは、充電ケーブル支持具に保持された充電ケーブルを、束ねられた状態のまま、まとめて取り外したりして、充電ケーブルを地面に置いた後、充電に必要な長さ部分を引き回して充電準備を行い、余長分は地面に置いたまま、充電を行っている。
【０００７】
しかし、充電準備作業の度に、重量の大きな充電ケーブルを、余長分も含めて、引き回すことが作業者の負担になる問題や、充電終了後には、地面を引きずられて汚れた充電ケーブルを、再度余長分も含めて、充電ケーブル支持具に巻きつけて保持させることが作業者の負担になる問題があった。
【先行技術文献】
【特許文献】
【０００８】
【特許文献１】特開２０１１−０５０１２５号公報
【発明の概要】
【発明が解決しようとする課題】
【０００９】
本発明の目的は前記の問題を解決し、重量が大きく、長い充電ケーブルを保持する充電ケーブルの保持構造であって、充電準備時における充電ケーブルの引き回し作業や、充電終了後における充電ケーブルの片づけ作業の負荷を軽減することができる技術を提供することである。
【課題を解決するための手段】
【００１０】
上記課題を解決するためになされた本発明の充電ケーブル保持構造は、充電ケーブルを巻き取って充電ケーブル支持具に保持させる充電ケーブル保持構造であって、該充電ケーブル支持具上の充電ケーブル巻き取り空間を仕切る仕切部材を、充電ケーブル支持具に対し、移動自在もしくは着脱自在に設けたことを特徴とするものである。
【００１１】
請求項２記載の発明は、請求項１記載の充電ケーブル保持構造において、前記仕切部材は、充電ケーブル支持具に保持された充電ケーブルを、外周側の使用部分と内周側の不使用部分とに区分することを特徴とするものである。
【００１２】
請求項３記載の発明は、請求項２記載の充電ケーブル保持構造において、前記仕切部材を、前記充電ケーブル支持具に対し、回動自在に設けたことを特徴とするものである。
【００１３】
請求項４記載の発明は、請求項３記載の充電ケーブル保持構造において、前記充電ケーブル支持具が棒状部材からなり、該棒状部材を、前記回動の中心軸としたことを特徴とするものである。
【００１４】
請求項５記載の発明は、請求項３記載の充電ケーブル保持構造において、前記充電ケーブル支持具が板状部材からなり、該板状部材は、対向配置された開口部を有し、該開口部間に残存させた板状部材を、前記回動の中心軸としたことを特徴とするものである。
【００１５】
請求項６記載の発明は、請求項２記載の充電ケーブル保持構造において、前記外周側で巻き取られる充電ケーブルを仮載置する仮載置部を、前記仕切部材の先端に設けたことを特徴とするものである。
【発明の効果】
【００１６】
本発明に係る充電ケーブル保持構造は、充電ケーブルを巻き取って充電ケーブル支持具に保持させる充電ケーブル保持構造において、該充電ケーブル支持具上の充電ケーブル巻き取り空間を仕切る仕切部材を、充電ケーブル支持具に対し、移動自在もしくは着脱自在に設けたことにより、必要に応じて仕切部材によって、充電ケーブルの全長を、使用部分と不使用部分に分けておくことができ、充電時には、不使用部分は充電ケーブル支持具に保持させたまま、使用部分だけをまとめて、充電ケーブル支持具から取り外して使用することができる。このため、従来、充電ケーブルを多めに巻き出して取り出したり、充電ケーブル全長を束ねた状態のまま、まとめて取り外したりして、充電ケーブルを地面に置いた後、充電に必要な長さ部分を引き回して充電準備を行い、余長分は地面に置いたまま、充電を行っていた場合と比べて、充電準備時における充電ケーブルの引き回し作業や、充電終了後における充電ケーブルの片づけ作業の負荷を軽減することができる。
【００１７】
請求項２記載の発明のように、仕切部材は、充電ケーブル支持具に保持された充電ケーブルを、外周側の使用部分と内周側の不使用部分とに区分することにより区分が明確になる。
【００１８】
請求項３記載の発明のように、仕切部材を、前記充電ケーブル支持具に対し、回動自在に設けることにより、充電ケーブルの全長を、使用部分と不使用部分に分ける作業を容易に行うことができる。すなわち、必要に応じて、使用部分と不使用部分の各々の長さ変更も自在に行うことができる。
【００１９】
請求項４記載の発明のように、充電ケーブル支持具を棒状部材から構成し、該棒状部材を、前記回動の中心軸とすることにより、仕切部材の着脱操作や回動操作の操作性を向上することができる。
【００２０】
請求項５記載の発明のように、充電ケーブル支持具を板状部材から構成し、該板状部材は、対向配置された開口部を有し、該開口部間に残存させた板状部材を、前記回動の中心軸とすることにより、仕切部材を目立たなくして、見栄えのよい保持構造とすることができる。
【００２１】
請求項６記載の発明のように、前記外周側で巻き取られる充電ケーブルを仮載置する仮載置部を、前記仕切部材の先端に設けることにより、充電ケーブルの使用前や収納前に、充電ケーブルの使用部分を、作業者が取扱いやすい高さで仮置きすることができる。
【図面の簡単な説明】
【００２２】
【図１】実施形態１の全体斜視図である。
【図２】実施形態１の要部拡大図である。
【図３】実施形態１の要部拡大図である。
【図４】実施形態１の要部拡大図である。
【図５】他の実施形態の要部拡大図である。
【図６】他の実施形態の要部拡大図である。
【図７】実施形態２の全体斜視図である。
【図８】実施形態２の要部拡大図である。
【図９】実施形態２の要部拡大図である。
【図１０】実施形態３の要部拡大図である。
【図１１】実施形態３の要部拡大図である。
【発明を実施するための形態】
【００２３】
以下に本発明の好ましい実施形態を示す。
【００２４】
（実施形態１）
図１に示すように、本実施形態では、車両用充電装置１の筐体内部に充電コネクタ保持部（図示しない）を設けると共に、車両用充電装置１の筐体下部に充電ケーブル支持具２を設けている。
【００２５】
充電ケーブル支持具２には、不使用時の充電ケーブル３が巻き取られて保持される。
【００２６】
充電ケーブル支持具２は、図２〜図４に示すように、棒状部材の両端を起点とする第一垂直部４と、左右二本の第一垂直部４を各々手前に折り曲げ形成した水平部５と、左右二本の水平部５を各々上方に折り曲げ形成した第二垂直部６と、左右二本の第二垂直部６間を連結する水平軸部７から構成されている。
【００２７】
水平軸部７には、水平軸部７を回動中心軸とする仕切部材８が着脱自在かつ回動自在に設けられている。
【００２８】
図２に示すように、この仕切部材８によって、充電ケーブル３の全長を、通常使用部分と通常不使用部分に分けることができ、充電時には、不使用部分は充電ケーブル支持具２の水平部５上に保持させたまま、通常使用部分だけをまとめて、充電ケーブル支持具２から取り外して使用することができる。
【００２９】
充電ケーブル３の全長を、使用部分と不使用部分に分ける作業は、まず、図３に示すように、仕切部材８を第二垂直部６方向に回動させた状態で、充電ケーブル支持具２の水平部５上に不使用部分を巻きつけ、その後、図２に示すように、仕切部材８を第一垂直部４方向に回動させて、仕切部材８の仕切面９上に使用部分の巻きつけを行う。このように、仕切部材８を用いて、充電ケーブル巻き取り空間を上下に仕切り、下部空間では、充電ケーブル３を水平部５上に巻き取り、上部空間では、仕切面９上に充電ケーブル３を巻き取って、上部空間の充電カーブルを下部空間の充電ケーブル３より外周に位置させる構造とすることにより、充電ケーブル支持具２に保持された充電ケーブル３の全長を、外周側の使用部分と内周側の不使用部分とに明確に区分することができる。
この実施形態では充電ケーブル支持具２が充電ケーブル３を巻いた状態の上部に位置するように構成されているが、左右に２ヶ所設けたものでもよく、この場合も仕切部材８は片側若しくは両側に設けて外周側の使用部分と内周側の不使用部分とに傾斜や垂直に仕切って区分するものとなる。
【００３０】
なお、充電ケーブル支持具２の第二垂直部６は、充電ケーブル支持具２に保持された充電ケーブル３が手前側に落下することを防止する落下規制部としての機能を有している。
【００３１】
本実施形態では、前記のように、仕切部材８を回動自在に設けているため、充電ケーブル３の全長を、使用部分と不使用部分に分ける作業を容易に行うことができる。すなわち、必要に応じて、使用部分と不使用部分の各々の長さ変更も自在に行うことができる。
【００３２】
図４に示すように、仕切部材８の先端部には、前記の上部空間で巻き取られる充電ケーブル３を、作業者が取扱いやすい高さで仮置きすることができる仮載置部１０が形成されている。充電ケーブル３は重量が大きいため、充電ケーブル３の通常使用部分を地面に置いたまま、使用部分・不使用部分の長さ変更作業や、充電準備作業や充電ケーブル収納作業を行うと、作業者の負担が大きく作業性が悪いが、充電ケーブル３を仮載置部１０に仮置きして作業を行うことで、これらの作業における作業性を向上させることができる。
【００３３】
本実施形態の仮載置部１０は、図４に示すように、仕切部材８を第二垂直部６方向に回動させ、仕切部材８の仕切面９を垂直とした状態において、仮載置部１０の先端が手前方向を向くように形成されているが、他の実施形態として、図５に示すように、仕切部材８全体を略コ字状に、すなわち、仕切部材８の仕切面９を垂直とした状態において、仮載置部１０の先端が背面方向を向くように形成することもできる。
【００３４】
なお、仮載置部１０は本発明の必須構成要件ではなく、図６に示すように、仮載置部１０を有さない仕切部材８を用いることもできる。
【００３５】
また、本実施形態では、仕切部材８を着脱自在かつ回動自在に設けたが、回動しない着脱自在な仕切部材８を用いることもできる。また、回動方向も限定されるものではない。
【００３６】
（実施形態２）
上記実施形態１では、車両用充電装置１の筐体下部に充電ケーブル支持具２を設けたが、本発明における充電ケーブル支持具２の設置箇所は特に限定されず、例えば、図７に示すように、車両用充電装置１を設置した壁面上に直接設けることもできる。
【００３７】
本実施形態の充電ケーブル支持具２は、図８〜図９に示すように、壁面上に取付けを行うための壁面取付金具１１を備えている。      
【００３８】
充電ケーブル支持具２の本体を、棒状部材の両端を起点とする第一垂直部４と、左右二本の第一垂直部４を各々手前に折り曲げ形成した水平部５と、左右二本の水平部５を各々上方に折り曲げ形成した第二垂直部６と、左右二本の第二垂直部間６を連結する水平軸部７から構成した点、および、水平軸部７を回動中心軸として、仕切部材を、充電ケーブル支持具２に対し回動自在に設ける点は上記実施形態１と同様である。
【００３９】
本実施形態の仕切部材８の先端には、第一垂直部４間に嵌まり込む嵌合部１２を備えている。
【００４０】
嵌合部１２には、施錠用孔１３が形成されている。この施錠用孔１３に南京錠を差し込んで、第一垂直部４と仕切部材８とを施錠することにより、充電ケーブル３の盗難を防止することができる。
【００４１】
（実施形態３）
本実施形態の充電ケーブル支持具２は、図１０〜図１１に示すように、板状部材から構成され、背面板部１４と底面板部１５と前面板部１６を有している。
【００４２】
背面板部１４には、上下２か所に対向配置された開口部１７を有し、開口部１７間に位置する板状部材１８を回動中心軸とする仕切部材８が着脱自在かつ回動自在に設けられている。
【００４３】
仕切部材８により、充電ケーブル巻き取り空間を上下に仕切る点は、上記実施形態と同様である。
【００４４】
本実施形態によれば、下部空間では、充電ケーブル３を底面板部１５上に巻き取り、上部空間では、仕切面９上に充電ケーブル３を巻き取って、充電ケーブル支持具２に保持された充電ケーブル３の全長を、外周側の使用部分と内周側の不使用部分とに明確に区分することができる。
【００４５】
背面板部１４には、開口部１７の更に上方に、仕切部材８を係止する係止孔部１９が形成され、仕切部材８を不使用時には、背面板部１４と平行に立てかけて係止できる構造としている。
【００４６】
本実施形態によれば、使用時も不使用時も仕切部材８が目立たず、すっきりと見栄えのよい保持構造とすることができる。
【符号の説明】
【００４７】
１  車両用充電装置
２  充電ケーブル支持具
３  充電ケーブル
４  第一垂直部
５  水平部
６  第二垂直部
７  水平軸部
８  仕切部材
９  仕切面
１０  仮載置部
１１  壁面取付金具
１２  嵌合部
１３  施錠用孔
１４  背面板部
１５  底面板部
１６  前面板部
１７  開口部
１８  板状部材
１９  係止孔部
【図１】
2014143805.tif 000003
【図２】
2014143805.tif 000004
【図３】
2014143805.tif 000005
【図４】
2014143805.tif 000006
【図５】
2014143805.tif 000007
【図６】
2014143805.tif 000008
【図７】
2014143805.tif 000009
【図８】
2014143805.tif 000010
【図９】
2014143805.tif 000011
【図１０】
2014143805.tif 000012
【図１１】
2014143805.tif 000013